(57)【要約】【課題】ガスメータの所定特性値の経年変化傾向を把握するとともに、同じ母集団から生じるグループの経年変化傾向をも把握し得る経年変化評価システムを提供する。【解決手段】複数のガスメータ２ａ、２ｂ・・・からの定期点検データをデータ収集センタ４の記憶装置７に蓄積し、その蓄積データを解析評価装置８で解析評価することにより所定特性値の経年変化傾向を把握するとともに、同じ母集団から生じる経年変化傾向をも把握することができる。【選択図】図１
2015152462.tif 000002
【特許請求の範囲】
【請求項１】
それぞれが送受信装置を有する複数のガスメータと、前記送受信装置より送信されるデータを受信する送受信装置を備えた解析評価システムとよりなり、
前記解析評価システムは、前記データを格納する記憶装置と、前記記憶装置に格納された前記データを解析評価する解析評価装置を備え、
前記データは、前記ガスメータの所定グループ毎に付与された識別コードと、前記ガスメータの所定特性値を含み、
前記解析評価システムは、前記識別コードに基づくグループ単位毎に、前記所定特性値の初期値、および検査時に測定された所定特性値を用いて前記ガスメータの所定グループの経年変化評価を行うことを特徴とする経年変化評価システム。
【請求項２】
それぞれが送受信装置を有する複数のガスメータと、前記送受信装置より送信されるデータを受信する送受信装置を備えた解析評価システムとよりなり、
前記解析評価システムは、前記データを格納する記憶装置と、前記記憶装置に格納された前記データを解析評価する解析評価装置を備え、
前記データは、前記ガスメータのメータ個々に付与された固有識別コードと、前記ガスメータの所定特性値を含み、
前記解析評価システムは、前記固有識別コードに基づき決定されるガスメータ毎に、前記所定特性値の初期値、および検査時に測定された所定特性値を用いて前記ガスメータの経年変化評価を行うことを特徴とする経年変化評価システム。
【請求項３】
前記識別コードが、同一製造ロット毎のグループとして付与したことを特徴とする請求項１に記載の経年変化評価システム。
【請求項４】
前記識別コードが、同一地域毎のグループとして付与したことを特徴とする請求項１に記載の経年変化評価システム。
【発明の詳細な説明】
【技術分野】
【０００１】
本発明は、ガスメータの特性値に関するデータを定期的に取得して蓄積し、このデータの解析結果を基に、経年変化を評価するシステムに関するものである。
【背景技術】
【０００２】
従来、流量計の経年変化の判定を行うものとして、最低流量の値を監視してゼロ点補正を行うものが知られている（例えば、特許文献１参照）。
【０００３】
図４は、特許文献１に記載された流量計のブロック図である。
【０００４】
図４に示すように、流量計は、流体が流れる測定管１０１と、流量測定部１０２と、流量記憶部１０３と、最低流量値更新部１０４と、操作部１０５と、経年変化判定部１０６と、ゼロ点補正部１０７とより構成されている。
【０００５】
流量測定部１０２は、測定管１０１を流れる流体の流量を所定の周期で測定するものである。流量記憶部１０３は、流量測定部１０２が測定した流量値とこの流量値のうちの最低値とを記憶するものである。最低流量値更新部１０４は、流量測定部１０２によって流体の流量が測定されると、最新の流量値と流量記憶部１０３に記憶されている最低流量値とを比較し、最低流量値よりも最新の流量値の方が小さい場合には、最新の流量値を最低流量値として更新するものである。
【０００６】
操作部１０５は、操作キーなどの手段からなる。流量計を使用する係員は、操作部１０５を操作することにより、流量の保存期間の開始／終了などを設定できるように構成している。経年変化判定部１０６は、所定期間の最低流量値がゼロであれば流量計に経年変化はないと判定し、最低流量値がゼロ以外であれば、経年変化があると判定するものである。ゼロ点補正部１０７は、経年変化ありと判定されたときに、流量測定部１０２が測定する流量値のゼロ点を補正するものである。
【先行技術文献】
【特許文献】
【０００７】
【特許文献１】特開２０１２−１９４０９６号公報
【発明の概要】
【発明が解決しようとする課題】
【０００８】
しかしながら、前記従来の構成では、単一の流量計において経年変化が生じたときに特性値を更新しているだけであり、特性値の経年変化傾向を監視していないという課題を有するものであった。また、製造のロット単位での経年変化傾向等、同じ母集団から生じる経年変化傾向を把握することはできないという課題も有するものであった。
【０００９】
本発明は、前記従来の課題を解決するもので、所定特性値の経年変化傾向を把握するとともに、同じ母集団から生じる経年変化傾向を把握することができるものである。
【課題を解決するための手段】
【００１０】
前記従来の課題を解決するために、本発明の経年変化評価システムは、それぞれが送受信装置を有する複数のガスメータと、前記送受信装置より送信されるデータを受信する送受信装置を備えた解析評価システムとよりなり、前記解析評価システムは、前記データを格納する記憶装置と、前記記憶装置に格納された前記データを解析評価する解析評価装置
を備え、前記データは、前記ガスメータの所定グループ毎に付与された識別コードと、前記ガスメータの所定特性値を含み、前記解析評価システムは、前記識別コードに基づくグループ単位毎に、前記所定特性値の初期値、および検査時に測定された所定特性値を用いて前記ガスメータの所定グループの経年変化評価を行うことを特徴とするものである。
【００１１】
また、本発明の経年変化評価システムは、それぞれが送受信装置を有する複数のガスメータと、前記送受信装置より送信されるデータを受信する送受信装置を備えた解析評価システムとよりなり、前記解析評価システムは、前記データを格納する記憶装置と、前記記憶装置に格納された前記データを解析評価する解析評価装置を備え、前記データは、前記ガスメータのメータ個々に付与された固有識別コードと、前記ガスメータの所定特性値を含み、前記解析評価システムは、前記固有識別コードに基づき決定されるガスメータ毎に、前記所定特性値の初期値、および検査時に測定された所定特性値を用いて前記ガスメータの経年変化評価を行うことを特徴とするものである。
【発明の効果】
【００１２】
本発明の経年変化評価システムは、複数のガスメータからの定期点検データをデータ収集センタの記憶装置に蓄積する構成とし、その蓄積データを評価解析することにより、ガスメータ特性の経年変化傾向を把握するとともに、同じ母集団から生じる経年変化傾向をも把握することができるものである。
【図面の簡単な説明】
【００１３】
【図１】本発明の実施の形態１における経年変化評価システムの構成図
【図２】本発明の実施の形態１における特性値の経年変化データを示すグラフ
【図３】本発明の実施の形態１における解析評価の経過を示すフローチャート
【図４】従来の経年変化判定を実施する流量計のブロック図
【発明を実施するための形態】
【００１４】
第１の発明は、それぞれが送受信装置を有する複数のガスメータと、前記送受信装置より送信されるデータを受信する送受信装置を備えた解析評価システムとよりなり、前記解析評価システムは、前記データを格納する記憶装置と、前記記憶装置に格納された前記データを解析評価する解析評価装置を備え、前記データは、前記ガスメータの所定グループ毎に付与された識別コードと、前記ガスメータの所定特性値を含み、前記解析評価システムは、前記識別コードに基づくグループ単位毎に、前記所定特性値の初期値、および検査時に測定された所定特性値を用いて前記ガスメータの所定グループの経年変化評価を行うことを特徴とするものである。
【００１５】
第２の発明は、それぞれが送受信装置を有する複数のガスメータと、前記送受信装置より送信されるデータを受信する送受信装置を備えた解析評価システムとよりなり、前記解析評価システムは、前記データを格納する記憶装置と、前記記憶装置に格納された前記データを解析評価する解析評価装置を備え、前記データは、前記ガスメータのメータ個々に付与された固有識別コードと、前記ガスメータの所定特性値を含み、前記解析評価システムは、前記固有識別コードに基づき決定されるガスメータ毎に、前記所定特性値の初期値、および検査時に測定された所定特性値を用いて前記ガスメータの経年変化評価を行うことを特徴とするものである。
【００１６】
第３の発明は、前記識別コードが、同一製造ロット毎のグループとして付与したことを特徴とするものである。
【００１７】
第４の発明は、前記識別コードが、同一地域毎のグループとして付与したことを特徴とするものである。
【００１８】
以下、本発明の実施の形態について、図面を参照しながら説明する。なお、この実施の形態によって本発明が限定されるものではない。
【００１９】
（実施の形態１）
本発明の実施の形態１について、図１〜図３に基づいて以下に説明する。
【００２０】
図１は、本発明の実施の形態１における経年変化評価システムの構成図である。
【００２１】
図１において、複数の家庭１ａ、１ｂ・・・のそれぞれに設置されたガスメータ２ａ、２ｂ・・・は、それぞれ後述するデータを送信するための送受信装置３ａ、３ｂ・・を有している。
【００２２】
データ収集センタ４には、送受信装置５が設けられており、送受信装置５に解析評価システム６が接続されている。解析評価システム６は、記憶装置７、および解析評価装置８により構成されている。
【００２３】
各家庭１ａ、１ｂ・・・のガスメータ２ａ、２ｂ・・・、およびデータ収集センタ４の送受信装置５および解析評価システム６により、経年変化評価システム９が構築される。
【００２４】
本経年変化評価システム９により解析評価される経年変化データのサンプルグラフを図２に示す。
【００２５】
まず、設置時にガスメータの特性値（初期値）を測定する。その後、定期点検の都度、ガスメータの特性値を測定して記録する。ガスメータの特性値とは、例えば、超音波の伝播時間を用いて流量を計測する構成であれば、流量ゼロの場合の伝播時間や、供給源として使用されている電池電圧等、経年により変化が想定される値である。
【００２６】
この様にして、第二回の点検時までの記録を記入したものが、このグラフに記載した実線部分である。
【００２７】
図２のグラフに示すように、この特性値に対して、予め閾値が設けられており、Ａグループ、Ｂグループともに、まだ閾値を越える状況にはいたっていない。
【００２８】
ここで記載したＡグループ、Ｂグループのグループとは、例えば、製造ロット毎や、地域毎のように同一属性を有する母集団として定められる単位であり、そのグループに予め付与した識別コードで区分されるようにしている。
【００２９】
図２でわかるように、２回目までの測定結果にある程度、グラフの傾向が出てくると、３回目の予測が可能となる。図２の場合には、Ｂグループが３回目の定期検査において、閾値を越えることが予想される。この予想に基づいて、予め警告を出してＢグループのロットに対応する準備を整えることができる。
【００３０】
定期点検の具体的な期間としては、長いものでは、例えば、８年でもよいし、初期不良を見つけることを目的とする場合には、１か月単位であっても良く、データの利用目的に合わせて任意に設定することができる。
【００３１】
上述のような解析を可能とするためには、それぞれの家庭におけるガスメータ２ａ、２ｂ・・・の初期値と、定期点検時のデータを記憶装置７に蓄積しておくことが必要となる。
【００３２】
そして、手順としては、まず、個々のガスメータ２ａ、２ｂ・・・におけるデータが経時変化の傾向を有しているか否かの判断を行い、次にその傾向がグループ全体としてでているかどうかの判断を行うこととなる。
【００３３】
図３は、本発明の実施の形態１における解析評価の過程を示すフローチャートである。
【００３４】
次に、図１、および図３を用いて、解析評価システムの動作を説明する。
【００３５】
ステップＳ１において、新たに設置されたガスメータ、例えば、ガスメータ２ａに対して、所定特性の初期値を計測してデータを送信させる初期値計測信号を送受信装置５から送信する。
【００３６】
送受信装置５からの初期値計測信号を受信したガスメータ２ａは、所定特性値の初期値を計測し、所定特性値のデータを送受信装置３ａからデータ収集センタ４に送信する。ガスメータ２ａから送信されるデータには、計測した所定特性値以外に、ガスメータに個々に付与された固有識別コード、或いは、予め個々のメータに付与されたグループ識別コードも同時に送信する。
【００３７】
ステップＳ２において、ガスメータ２ａからのデータは、送受信装置５が受信し、データは、解析評価システム６にとりこまれ、記憶装置７に格納される。
【００３８】
ステップＳ３において、ガスメータ２ａが定期検査時期か否か判断する。定期検査時期でない場合には、ステップＳ４に移行し、ステップＳ４において、ガスメータ２ａの次回の所定特性値の計測時期に対して所定のインターバルが設定され、記憶装置７に格納される。ここでのインターバルとは、例えば、長期的な場合は、８年毎、また、短期的な場合は、１か月毎であり、所定特性値の利用目的に応じて設定される。
【００３９】
記憶装置７には、各ガスメータ２ａ、２ｂ・・・の所定特性値の計測時期が格納されており、ステップＳ５において、定期検査時期に至ったガスメータ、例えば、ガスメータ２ａがあると、ガスメータ２ａに対して、所定特性の初期値を計測してデータを送信させる定期検査計測信号を送受信装置５から送信する。
【００４０】
定期検査計測信号を受信したガスメータ２ａは、所定特性値を計測し、所定特性値のデータを送信する。ガスメータ２ａから送信されるデータには、初期値計測地のデータを送信する際と同様に、計測した所定特性値以外に、ガスメータに個々に付与された固有識別コードや、必要に応じて、予め個々のメータに付与されたグループ識別コードも同時に送信する。
【００４１】
ステップＳ６において、ガスメータ２ａからのデータは、送受信装置５が受信し、データは、解析評価システム６にとりこまれ、記憶装置７に格納される。
【００４２】
次に、ステップＳ７において、ガスメータ２ａの定期検査時の所定特性値が閾値を超えているか否かを判断し、閾値を超えている場合は、経年変化が生じていると判断して、ステップＳ８において、ガスメータ２ａに経年変化が生じていることを警告する。
【００４３】
ステップＳ７において、定期検査時の所定特性値が閾値を超えていない場合には、ステップＳ９において、ガスメータ２ａ自体の単品としての経年変化傾向を解析する。
【００４４】
ステップＳ９における解析結果に基づいて、ステップＳ１０において、経年変化傾向が
あるか否か判断する。経年変化傾向が無い場合には、ステップＳ３に移行し、次の定期検査時期を待つことになる。
【００４５】
ステップＳ１０において、経年変化傾向がある場合には、ステップＳ１１において、ガスメータ２ａが属するグループ単位の経年変化傾向があるか否か判断する。
【００４６】
グループ単位の解析に際しては、記憶装置７に蓄積されているガスメータ２ａが属するグループのガスメータ２ａ、２ｂ・・・のデータが参照される。この場合には、グループ単位に付与された識別コード、もしくは、メータ個々に付与された固有識別コードに基づくグルーピング情報を用いて、同じグループの一群のデータが解析対象となる。
【００４７】
ステップＳ１１において、グループ単位の経年変化傾向が無い場合には、ステップＳ３に移行し、次の定期検査時期を待つことになる。
【００４８】
ステップＳ１１において、グループ単位の経年変化傾向がある場合には、ステップＳ１２において、ガスメータ２ａが属するグループに経年変化傾向が発生していることを警告する。
【００４９】
以上に示したように、この解析評価システム６により、ガスメータ特性の経年変化傾向を把握するとともに、同じ母集団から生じる経年変化傾向をも把握することができるものである。
【産業上の利用可能性】
【００５０】
以上のように、本発明にかかる経年変化評価システムは、複数の機器の定期検査データを用いてグループ毎の特性の経年変化傾向を評価できるため、ガスメータのみならず、水道メータや、電力メータを始め各種計測器等の経年変化傾向を把握できるなど幅広い用途に適用できる。
【符号の説明】
【００５１】
２ａ    ガスメータ
２ｂ    ガスメータ
３ａ    送受信装置
３ｂ    送受信装置
５      送受信装置
７      記憶装置
８      解析評価装置
９      経年変化評価システム
【図１】
2015152462.tif 000003
【図２】
2015152462.tif 000004
【図３】
2015152462.tif 000005
【図４】
2015152462.tif 000006